(57)【要約】【課題】コンテナ内に収容した複数本の各きのこ栽培瓶の上方に伸長するきのこの全てを上方に向けて真っ直ぐに体裁よく生育できるきのこ栽培方法を提供する。【解決手段】複数本のきのこ栽培瓶２０を、その隣り合う各きのこ栽培瓶の中心軸２８間の距離がきのこ栽培瓶の円筒状をした瓶胴部２４の外径と同一となって、その隣り合う各きのこ栽培瓶の中心軸２８間を結ぶ線が正三角形を隙間なく並べた形状をなすように、コンテナ１０内に隙間少なく並べて収容する。そして、そのコンテナ１０内の内側に収容したきのこ栽培瓶の上方に伸長するきのこ３０周囲のうちの、斜め前後方向及び左右方向の６方のきのこ３０周囲部分を、そのきのこ栽培瓶２０の斜め前後方向及び左右方向に隣り合って並ぶ同じコンテナ１０内の他のきのこ栽培瓶２０の上方にほぼ同じ生長速度で伸長するきのこ３０により上方に向けて支持する。【選択図】図１
2005261375.tif 000002
【特許請求の範囲】
【請求項１】
籠状をしたコンテナ内に、同一形状をした同一大きさの複数本のきのこ栽培瓶を、その瓶上部をコンテナ上方に突出させた状態で並べて収容して、前記きのこ栽培瓶に充填された培地から発芽させたきのこを、きのこ栽培瓶の瓶口を通して、きのこ栽培瓶の上方に生育するきのこ栽培方法であって、
前記同一形状をした同一大きさの複数本のきのこ栽培瓶を、その隣り合う各きのこ栽培瓶の中心軸間の距離がきのこ栽培瓶の円筒状をした瓶胴部の外径と同一となって、その隣り合う各きのこ栽培瓶の中心軸間を結ぶ線が正三角形を隙間なく並べた形状をなすように、その前列の隣り合うきのこ栽培瓶の瓶胴部の間の隙間に後列のきのこ栽培瓶の瓶胴部の一部を嵌入させて、それらの前列と後列の隣り合う各きのこ栽培瓶の瓶胴部の一部を互いに密接させた状態で、前記コンテナ内に隙間少なく並べて収容すると共に、そのコンテナ内の最外側に並ぶ複数本の各きのこ栽培瓶のコンテナ外方を向く瓶口上端縁外側近くからその上方にかけての部分を起立壁によりそれぞれ囲んだ状態で、そのコンテナ内に収容されたきのこ栽培瓶に充填された培地から発芽させたきのこを、きのこ栽培瓶の瓶口を通して、きのこ栽培瓶の上方に生育することを特徴とするきのこ栽培方法。
【請求項２】
前記起立壁に、前記コンテナ内の最外側に並ぶ複数本のきのこ栽培瓶の瓶胴部とそれに対向するコンテナ内側壁との間の隙間に、その下端壁を押入、係止させて、その上端壁をコンテナ内側壁の上方に起立させた状態とするカバーであって、
そのコンテナ内側壁の上方に起立させた状態とする上端壁内側面が、コンテナ内の最外側に並ぶ複数本の各きのこ栽培瓶のコンテナ外方を向く瓶口外側上端縁近くからその上方にかけての部分をそれぞれ囲む凹凸面を持つカバーを用いることを特徴とする請求項１記載のきのこ栽培方法。
【請求項３】
前記起立壁に、前記コンテナ内の最外側に並ぶきのこ栽培瓶の瓶口周囲に、その下端を巻き付けて、その上端をきのこ栽培瓶の瓶口周囲の上方にラッパ筒状に起立させた状態とする巻紙を用いることを特徴とする請求項１記載のきのこ栽培方法。
【請求項４】
前記コンテナに、ほぼ方形籠状をしたコンテナを用いることを特徴とする請求項１、２又は３記載のきのこ栽培方法。
【請求項５】
請求項２が引用された請求項４記載のきのこ栽培方法に用いるカバーであって、
該カバーが、ほぼ方形籠状をしたコンテナ内４方の最外側に並ぶ複数本のきのこ栽培瓶の瓶胴部とそれに対向するコンテナ内側壁との間の隙間に、その下端壁をそれぞれ押入、係止させて、そのコンテナ内４方の内側壁上方にそれぞれ起立させた上端壁により、ほぼ方形籠状をしたコンテナ内側面の上方周囲をほぼ方形筒状に連続して囲むほぼＬ字帯板状をした４枚の分離カバーからなるものであって、
その４枚の各分離カバーが、前記ほぼ方形籠状をしたコンテナ内４方の最外側に並ぶ複数本のきのこ栽培瓶の瓶胴部とそれに対向するコンテナ内側壁との間の隙間に、その下端壁をそれぞれ押入、係止させて、その上端壁をコンテナ内４方の内側壁上方にそれぞれ起立させた状態とするための係止手段を持つと共に、
そのコンテナ内４方の内側壁上方にそれぞれ起立させた状態とする４枚の各分離カバーの上端壁内側面が、コンテナ内４方の最外側に並ぶ複数本の各きのこ栽培瓶のコンテナ外方を向く瓶口外側上端縁近くからその上方にかけての部分をそれぞれ囲む凹凸面を持つことを特徴とするカバー。
【請求項６】
請求項２が引用された請求項４記載のきのこ栽培方法に用いるカバーであって、
該カバーが、ほぼ方形籠状をしたコンテナ内左右の最外側に並ぶ複数本のきのこ栽培瓶の瓶胴部とそれに対向するコンテナ内側壁との間の隙間に、その下端壁をそれぞれ押入、係止させて、そのコンテナ内左右の内側壁上方にそれぞれ起立させた上端壁により、ほぼ方形籠状をしたコンテナ内側面の上方周囲をほぼ方形筒状に連続して囲むほぼコの字帯板状をした２枚の分離カバーからなるものであって、
その２枚の各分離カバーが、前記ほぼ方形籠状をしたコンテナ内左右の最外側に並ぶ複数本のきのこ栽培瓶の瓶胴部とそれに対向するコンテナ内側壁との間の隙間に、その下端壁をそれぞれ押入、係止させて、その上端壁をコンテナ内左右の内側壁上方にそれぞれ起立させた状態とするための係止手段を持つと共に、
そのコンテナ内左右の内側壁上方にそれぞれ起立させた状態とする２枚の各分離カバーの上端壁内側面が、コンテナ内左右の最外側に並ぶ複数本の各きのこ栽培瓶のコンテナ外方を向く瓶口外側上端縁近くからその上方にかけての部分をそれぞれ囲む凹凸面を持つことを特徴とするカバー。
【発明の詳細な説明】
【技術分野】
【０００１】
本発明は、籠状をしたコンテナ内に並べて収容した複数本の各きのこ栽培瓶に充填された培地から発芽させたきのこを、きのこ栽培瓶の瓶口を通して、きのこ栽培瓶の上方に収穫するまでに大きく生育させるきのこ栽培方法と、該方法に用いるカバーとに関する。
【背景技術】
【０００２】
えのき茸等のきのこは、一般に、図５に示したような、広口のきのこ栽培瓶２０に充填された培地（図示せず）を用いて、人工栽培される。具体的には、きのこ栽培瓶２０に充填された培地にえのき茸等のきのこの菌糸を接種して蔓延させた後、そのきのこの菌糸を蔓延させた培地からきのこ３０を発芽させている。そして、そのきのこ３０を、きのこ栽培瓶の瓶口２２を通して、きのこ栽培瓶２０の上方に収穫するまでに大きく生育している。
【０００３】
この培地から発芽させたきのこ３０を、きのこ栽培瓶の瓶口２２を通して、きのこ栽培瓶２０の上方に生育させる際には、一般に、図５に示したように、扇状をした巻紙６０を、きのこ栽培瓶の瓶口２２周囲にラッパ筒状に起立させて巻き付けている。そして、その瓶口２２の上方周囲をラッパ筒状に囲む巻紙内側空間６２で、きのこ栽培瓶２０の上方に伸長するきのこ３０を、生育している。
そして、そのきのこ栽培瓶２０の上方に伸長するきのこ３０周囲を、瓶口２２の上方周囲をラッパ筒状に囲む巻紙６０内側壁により支持し続けている。そして、そのきのこ栽培瓶２０の上方に伸長するきのこ３０が、きのこ栽培瓶２０の周囲に倒れて、垂れ下がった状態となるのを、防いでいる。
そして、そのきのこ栽培瓶２０の上方に伸長するきのこ３０を、きのこ栽培瓶２０の周囲に倒れさせずに、真っすぐに体裁よく生育している。
【０００４】
ところで、このきのこ栽培瓶の瓶口２２周囲に巻紙６０をラッパ筒状に起立させて巻き付ける巻紙作業は、多大な手数と時間を要し、えのき茸等のきのこ栽培の省力化、容易化を図る際の、大きなネックとなっていた。
【０００５】
このような課題を解消するための方法としては、特開２００１−１６９６６２号公報記載のきのこ栽培方法がある。
この方法では、図６と図７に示したように、ほぼ方形状籠状をした底浅のコンテナ１０内に同一形状をした同一大きさの複数本のきのこ栽培瓶２０を、その円筒状をした瓶胴部２４の一部を互いに密接させた状態で、縦横に複数列に整列させて並べて収容している。そして、そのコンテナ１０内の複数本の各きのこ栽培瓶の中心軸２８を結ぶ線が、図６に破線で示したように、正四角形を隙間なく縦横に整列させて並べた形状をなすようにしている。それと共に、コンテナ１０内４方の最外側に並ぶ複数本のきのこ栽培瓶の瓶胴部２４とそれに対向するコンテナ１０内側壁との間に、ほぼＬ字帯板状をした４枚のカバー５０ａ、５０ｂ、５０ｃ、５０ｄの下端壁５２をそれぞれ挿入、係止させている。そして、そのコンテナ１０内側壁の上方にそれぞれほぼ垂直に起立させた４枚のカバー５０ａ、５０ｂ、５０ｃ、５０ｄの上端壁５４により、コンテナ１０内側壁の上方周囲をほぼ方形筒状に連続して囲んだ状態としている。
このきのこ栽培方法によれば、そのコンテナ１０内に収容したきのこ栽培瓶の瓶口２２を通して、きのこ栽培瓶２０の上方に伸長させるきのこ３０周囲のうちの、コンテナ１０内の内側に並ぶきのこ栽培瓶２０の上方に伸長させるきのこ３０周囲を、そのきのこ栽培瓶２０の左右方向及び前後方向に隣り合って並ぶ同じコンテナ１０内の他のきのこ栽培瓶２０の上方にほぼ同じ生長速度で伸長するきのこ３０により支持し続けることができる。他方、コンテナ１０内の最外側に並ぶきのこ栽培瓶２０の上方に伸長するきのこ３０の外側周囲は、コンテナ１０内側壁の上方周囲をほぼ方形筒状に連続して囲むカバーの上端壁５４により、支持し続けることができる。それと共に、そのコンテナ１０内の最外側に並ぶきのこ栽培瓶２０の上方に伸長するきのこ３０の内側周囲は、そのきのこ栽培瓶２０の左右及び後方に隣り合って並ぶ同じコンテナ１０内の他のきのこ栽培瓶２０の上方にほぼ同じ生長速度で伸長するきのこ３０により支持し続けることができる。
その結果、そのコンテナ１０内に並べて収容した複数本の全てのきのこ栽培瓶２０の上方に伸長するきのこ３０の多くを、きのこ栽培瓶２０の周囲に垂れ下がらせずに、上方に向けて真っすぐに体裁よく生育できる。
また、この方法によれば、そのコンテナ１０内に並べて収容する複数本の各きのこ栽培瓶の瓶口２２周囲に、巻紙６０をラッパ筒状に起立させて巻き付ける、多大な手数と時間を要する巻紙作業を無くして、えのき茸等のきのこ栽培作業の大幅な省力化、容易化が図れる。
【特許文献１】特開２００１−１６９６６２号公報
【発明の開示】
【発明が解決しようとする課題】
【０００６】
しかしながら、上記の方法により、コンテナ１０内に並べて収容した複数本の全てのきのこ栽培瓶２０の上方に伸長するきのこ３０の多くを、きのこ栽培瓶２０の周囲に垂れ下がらせずに、上方に向けて真っすぐに生育した場合には、そのコンテナ１０内に縦横に整列させて並べて収容した斜め前後方向に隣り合うきのこ栽培瓶の中心軸２８間の距離が、図６に示したように、きのこ栽培瓶の円筒状をした瓶胴部２４の外径をＬとすると、約１．４Ｌとなって、大きく離隔した状態となった。
そのために、そのコンテナ１０内に収容したきのこ栽培瓶２０の上方に伸長するきのこ３０周囲のうちの、斜め前後方向を向くきのこ３０周囲部分を、そのきのこ栽培瓶２０の斜め前後方向に隣り合って並ぶ同じコンテナ１０内の他のきのこ栽培瓶２０の上方にほぼ同じ生長速度で伸長するきのこ３０により上方に向けて確実に支持できなかった。そして、そのために、そのきのこ栽培瓶２０の上方に株状になって伸長するえのき茸等のきのこ３０の一部が、上方に向けて真っ直ぐに体裁よく伸長せずに、斜め外方に傾く等してしまった。
また、上記のように、コンテナ１０内に収容した斜め前後方向に隣り合って並ぶきのこ栽培瓶の瓶胴部２４間の距離が必要以上に大きくなって、その分、そのコンテナ１０内に並べて収容した複数本のきのこ栽培瓶２０の間に、無駄なスペースが生じてしまった。そして、そのコンテナ１０内に複数本のきのこ栽培瓶２０を、無駄なスペースをあけずに、コンパクトに収容できなかった。
【０００７】
本発明は、このような課題を解消可能な、コンテナ内に並べて収容した複数本の各きのこ栽培瓶の上方に伸長するきのこ周囲のぼぼ全体を、そのきのこ栽培瓶に隣り合って並ぶ同じコンテナ内の他のきのこ栽培瓶の上方にほぼ同じ生長速度で伸長するきのこにより、上方に向けて余すところなく確実に支持し続けて、そのコンテナ内に収容した複数本の各きのこ栽培瓶の上方に伸長するきのこの全てを上方に向けて真っ直ぐに体裁よく生育できるきのこ栽培方法であって、コンテナ内に複数本のきのこ栽培瓶を、無駄なスペースをあけずに、コンパクトに並べて収容できるきのこ栽培方法と、該方法に用いるカバーとを提供することを、目的としている。
【課題を解決するための手段】
【０００８】
このような目的を達成するために、本発明のきのこ栽培方法は、籠状をしたコンテナ内に、同一形状をした同一大きさの複数本のきのこ栽培瓶を、その瓶上部をコンテナ上方に突出させた状態で並べて収容して、前記きのこ栽培瓶に充填された培地から発芽させたきのこを、きのこ栽培瓶の瓶口を通して、きのこ栽培瓶の上方に生育するきのこ栽培方法であって、
前記同一形状をした同一大きさの複数本のきのこ栽培瓶を、その隣り合う各きのこ栽培瓶の中心軸間の距離がきのこ栽培瓶の円筒状をした瓶胴部の外径と同一となって、その隣り合う各きのこ栽培瓶の中心軸間を結ぶ線が正三角形を隙間なく並べた形状をなすように、その前列の隣り合うきのこ栽培瓶の瓶胴部の間の隙間に後列のきのこ栽培瓶の瓶胴部の一部を嵌入させて、それらの前列と後列の隣り合う各きのこ栽培瓶の瓶胴部の一部を互いに密接させた状態で、前記コンテナ内に隙間少なく並べて収容すると共に、そのコンテナ内の最外側に並ぶ複数本の各きのこ栽培瓶のコンテナ外方を向く瓶口外側上端縁近くからその上方にかけての部分を起立壁によりそれぞれ囲んだ状態で、そのコンテナ内に収容したきのこ栽培瓶に充填された培地から発芽させたきのこを、きのこ栽培瓶の瓶口を通して、きのこ栽培瓶の上方に生育することを特徴としている。
【０００９】
このきのこ栽培方法においては、その前列に隣り合って並ぶきのこ栽培瓶の中心軸間の距離がきのこ栽培瓶の円筒状をした瓶胴部の外径と同一となるように、その前列に並ぶ複数本の各きのこ栽培瓶を、その瓶胴部の一部を互いに密接させた状態で、コンテナ内に隙間少なく横に並べて収容している。
それと共に、その前列に隣り合って並ぶ後列の複数本の各きのこ栽培瓶の瓶胴部の一部を、その前列に隣り合って並ぶ複数本の各きのこ栽培瓶の瓶胴部の間の隙間にそれぞれ嵌入させて、それらの前列と後列の複数本のきのこ栽培瓶を、その隣り合うきの栽培瓶の瓶胴部の一部を互いに密接させた状態で、コンテナ内に隙間少なく横に並べて収容している。
そして、それらの前列と後列に隣り合って並ぶ各きのこ栽培瓶の中心軸間の距離がきのこ栽培瓶の瓶胴部の外径と同一となって、それらの隣り合う各きのこ栽培瓶の中心軸間を結ぶ線が正三角形を隙間なく並べた形状をなすように、それらの前列と後列の複数本のきのこ栽培瓶をコンテナ内に並べて収容している。
そのために、それらの前列と後列の左右方向及び斜め前後方向に隣り合って並ぶ複数本の各きのこ栽培瓶の中心軸間の距離を、きのこ栽培瓶の瓶胴部の外径と同一に狭めることができる。そして、それらの前列と後列の斜め前後方向に隣り合って並ぶ複数本の各きのこ栽培瓶の間に、前述のような大きな隙間が生ずるのを防ぐことができる。そして、そのコンテナ内の内側に収容したきのこ栽培瓶の上方に伸長するきのこ周囲のうちの、斜め前後方向及び左右方向の６方のきのこ周囲部分を、そのきのこ栽培瓶の斜め前後方向及び左右方向に隣り合って並ぶ同じコンテナ内の他のきのこ栽培瓶の上方にほぼ同じ生長速度で伸長するきのこにより上方に向けて確実に支持できる。そして、そのコンテナ内の内側に収容したきのこ栽培瓶の上方に伸長するきのこの全てを、上方に向けて真っ直ぐに体裁よく伸長させることができる。
【００１０】
また、このきのこ栽培方法においては、そのコンテナ内の最外側に並ぶ複数本の各きのこ栽培瓶のコンテナ外方を向く瓶口外側上端縁近くからその上方にかけての部分を起立壁によりそれぞれ囲んだ状態で、そのコンテナ内に収容したきのこ栽培瓶に充填された培地から発芽させたきのこを、きのこ栽培瓶の瓶口を通して、きのこ栽培瓶の上方に生育している。
そのために、そのコンテナ内の最外側に並ぶきのこ栽培瓶の上方に伸長するきのこ周囲のうちの、他のきのこ栽培瓶の上方に伸長するきのこが隣り合って存在しない、コンテナ外方を向くきのこ周囲部分を、そのコンテナ内の最外側に並ぶきのこ栽培瓶のコンテナ外方を向く瓶口外側上端縁近くからその上方にかけての部分を囲む起立壁により、上方に向けて確実に支持できる。それと共に、そのコンテナ内の最外側に並ぶきのこ栽培瓶の上方に伸長するきのこ周囲のうちの、コンテナ外方以外の、左右方向及び斜め後方や後方を向くきのこ周囲部分を、そのきのこ栽培瓶の左右方向及び斜め後方や後方に隣り合って並ぶ同じコンテナ内の他のきのこ栽培瓶の上方にほぼ同じ生長速度で伸長するきのこにより、きのこ栽培瓶の周囲に垂れ下がらぬように、上方に向けて確実に支持できる。そして、そのコンテナ内の最外側に並ぶきのこ栽培瓶の上方に伸長するきのこを、上方に向けて真っ直ぐに体裁よく伸長させることができる。
【００１１】
その結果、このきのこ栽培方法においては、そのコンテナ内に収容した複数本の各きのこ栽培瓶の上方に伸長する全てのきのこ周囲のほぼ全体を余すところなく上方に向けて確実に支持し続けて、それらのきのこの全てを、きのこ栽培瓶の上方に上方に向けて真っ直ぐに体裁よく生育できる。
【００１２】
本発明のきのこ栽培方法において、起立壁には、コンテナ内の最外側に並ぶ複数本のきのこ栽培瓶の瓶胴部とそれに対向するコンテナ内側壁との間の隙間に、その下端壁を押入、係止させて、その上端壁をコンテナ内側壁の上方に起立させた状態とするカバーであって、
そのコンテナ内側壁の上方に起立させた状態とする上端壁内側面が、コンテナ内の最外側に並ぶ複数本の各きのこ栽培瓶のコンテナ外方を向く瓶口外側上端縁近くからその上方にかけての部分をそれぞれ囲む凹凸面を持つカバーを用いるのが良い。
そうした場合には、そのカバーの下端壁を、コンテナ内の最外側に並ぶ複数本のきのこ栽培瓶の瓶胴部とそれに対向するコンテナ内側壁との間の隙間に押入、係止させることができる。そして、そのカバーの上端壁を、コンテナ内側壁の上方に起立させた状態とすることができる。
そして、そのコンテナ内側壁の上方に起立させた状態としたカバーの凹凸面を持つ上端壁内側面により、コンテナ内の最外側に並ぶ複数本の各きのこ栽培瓶のコンテナ外方を向く瓶口外側上端縁近くからその上方にかけての部分をそれぞれ囲むことができる。そして、そのカバーの凹凸面を持つ上端壁内側面により、コンテナ内の最外側に並ぶきのこ栽培瓶の上方に伸長するきのこ周囲のうちの、他のきのこ栽培瓶の上方に伸長するきのこが隣り合って存在しない、コンテナ外方を向くきのこ周囲部分を、きのこ栽培瓶の周囲に垂れ下がらぬように、上方に向けて確実に支持できる。
【００１３】
本発明のきのこ栽培方法において、起立壁には、コンテナ内の最外側に並ぶきのこ栽培瓶の瓶口周囲に、その下端を巻き付けて、その上端をきのこ栽培瓶の瓶口周囲の上方にラッパ筒状に起立させた状態とする巻紙を用いても良い。
そうした場合には、そのコンテナ内の最外側に並ぶきのこ栽培瓶の瓶口周囲に巻き付けた巻紙内側壁により、コンテナ内の最外側に並ぶきのこ栽培瓶の上方に伸長するきのこ周囲の全ての部分を、きのこ栽培瓶の周囲に垂れ下がらぬように、上方に向けて確実に支持できる。
それと共に、そのコンテナ内の最外側のきのこ栽培瓶の後方や斜め後方に隣り合って並ぶコンテナ内の内側のきのこ栽培瓶の上方に伸長するきのこを、その最外側のきのこ栽培瓶の瓶口周囲に巻き付けた巻紙を介して、その最外側のきのこ栽培瓶の上方にほぼ同じ生長速度で伸長するきのこにより、上方に向けて確実に支持できる。
【００１４】
本発明のきのこ栽培方法においては、複数本のきのこ栽培瓶を収容するコンテナに、ほぼ方形籠状をしたコンテナを用いると良いが、場合によっては、６角籠などの多角籠状、円形籠状等をしたコンテナを用いることも可能である。
【００１５】
ほぼ方形籠状をしたコンテナを用いる本発明のきのこ栽培方法において、起立壁として用いる本発明のカバーは、ほぼ方形籠状をしたコンテナ内４方の最外側に並ぶ複数本のきのこ栽培瓶の瓶胴部とそれに対向するコンテナ内側壁との間の隙間に、その下端壁をそれぞれ押入、係止させて、そのコンテナ４方の内側壁上方にそれぞれ起立させた上端壁により、ほぼ方形籠形状をしたコンテナ内側壁の上方周囲をほぼ方形筒状に連続して囲むほぼＬ字帯板状をした４枚の分離カバーからなるものであって、
その４枚の各分離カバーが、ほぼ方形籠状をしたコンテナ内４方の最外側に並ぶ複数本のきのこ栽培瓶の瓶胴部とそれに対向するコンテナ内側壁との間の隙間に、その下端壁をそれぞれ押入、係止させて、その上端壁をコンテナ内４方の内側壁上方にそれぞれ起立させた状態とするための係止手段を持つと共に、
そのコンテナ内４方の内側壁上方にそれぞれ起立させた状態とする４枚の各分離カバーの上端壁内周面が、コンテナ内４方の最外側に並ぶ複数本の各きのこ栽培瓶のコンテナ外方を向く瓶口外側上端縁近くからその上方にかけての部分をそれぞれ囲む凹凸面を持つことを特徴としている。
【００１６】
このカバーにおいては、そのカバーを構成しているほぼＬ字帯板状をした４枚の各分離カバーの下端壁を、係止手段により、ほぼ方形籠状をしたコンテナ内４方の最外側に並ぶ複数本のきのこ栽培瓶の瓶胴部とそれに対向するコンテナ内側壁との間の隙間にそれぞれ押入、係止させて、その４枚の各分離カバー壁の上端壁を、コンテナ内４方の内側壁上方にそれぞれ起立させた状態とすることができる。そして、そのコンテナ内４方の内側壁の上方にそれぞれ起立させた４枚の各分離カバー壁の上端壁により、ほぼ方形籠状をしたコンテナ内側壁の上方周囲をほぼ方形筒状に連続して囲むことができる。
それと共に、そのコンテナ内４方の内側壁上方にそれぞれ起立させた状態とした４枚の各分離カバー壁の凹凸面を持つ上端壁内側面により、コンテナ内４方の最外側に並ぶ複数本の各きのこ栽培瓶のコンテナ外方を向く瓶口外側上端縁近くからその上方にかけての部分をそれぞれ囲むことができる。そして、その４枚の各分離カバーの凹凸面を持つ上端壁内側面により、コンテナ内４方の最外側に並ぶ複数本の各きのこ栽培瓶の上方に伸長するきのこ周囲のうちの、他のきのこ栽培瓶の上方に伸長するきのこが隣り合って存在しない、コンテナ外方を向くきのこ周囲部分を、きのこ栽培瓶の周囲に垂れ下がらぬように、上方に向けて確実に支持できる。
【００１７】
ほぼ方形籠状をしたコンテナを用いる本発明のきのこ栽培方法において、起立壁として用いる本発明のカバーは、ほぼ方形籠状をしたコンテナ内左右の最外側に並ぶ複数本のきのこ栽培瓶の瓶胴部とそれに対向するコンテナ内側壁との間の隙間に、その下端壁をそれぞれ押入、係止させて、そのコンテナ左右の内側壁上方にそれぞれ起立させた上端壁により、ほぼ方形籠形状をしたコンテナ内側壁の上方周囲をほぼ方形筒状に連続して囲むほぼコの字帯板状をした２枚の分離カバーからなるものであって、
その２枚の各分離カバーが、ほぼ方形籠状をしたコンテナ内左右の最外側に並ぶ複数本のきのこ栽培瓶の瓶胴部とそれに対向するコンテナ内側壁との間の隙間に、その下端壁をそれぞれ押入、係止させて、その上端壁をコンテナ内左右の内側壁上方にそれぞれ起立させた状態とするための係止手段を持つと共に、
そのコンテナ内左右の内側壁上方にそれぞれ起立させた状態とする２枚の各分離カバーの上端壁内周面が、コンテナ内左右の最外側に並ぶ複数本の各きのこ栽培瓶のコンテナ外方を向く瓶口外側上端縁近くからその上方にかけての部分をそれぞれ囲む凹凸面を持つことを特徴とするものとしても良い。
【００１８】
このカバーにおいては、そのカバーを構成しているほぼコの字帯板状をした２枚の各分離カバーの下端壁を、係止手段により、ほぼ方形籠状をしたコンテナ内左右の最外側に並ぶ複数本のきのこ栽培瓶の瓶胴部とそれに対向するコンテナ内側壁との間の隙間にそれぞれ押入、係止させて、その２枚の各分離カバー壁の上端壁を、コンテナ内左右の内側壁上方にそれぞれ起立させた状態とすることができる。そして、そのコンテナ内左右の内側壁の上方にそれぞれ起立させた２枚の各分離カバー壁の上端壁により、ほぼ方形籠状をしたコンテナ内側壁の上方周囲をほぼ方形筒状に連続して囲むことができる。
それと共に、そのコンテナ内左右の内側壁上方にそれぞれ起立させた状態とした２枚の各分離カバー壁の凹凸面を持つ上端壁内側面により、コンテナ内左右の最外側に並ぶ複数本の各きのこ栽培瓶のコンテナ外方を向く瓶口外側上端縁近くからその上方にかけての部分をそれぞれ囲むことができる。そして、その２枚の各分離カバーの凹凸面を持つ上端壁内側面により、コンテナ内左右の最外側に並ぶ複数本の各きのこ栽培瓶の上方に伸長するきのこ周囲のうちの、他のきのこ栽培瓶の上方に伸長するきのこが隣り合って存在しない、コンテナ外方を向くきのこ周囲部分を、きのこ栽培瓶の周囲に垂れ下がらぬように、上方に向けて確実に支持できる。
【発明の効果】
【００１９】
以上説明したように、本発明のきのこ栽培方法によれば、籠状をしたコンテナ内に並べて収容した複数本の各きのこ栽培瓶に充填された培地から発芽させたえのき茸等のきのこを、きのこ栽培瓶の瓶口を通して、きのこ栽培瓶の周囲に垂れ下がらせずに、上方に向けて真っすぐに体裁よく生育することが可能となる。
また、複数本のきのこ栽培瓶を籠状をしたコンテナ内に、無駄なスペースをあけずに、その隣り合うきのこ栽培瓶の瓶胴部の一部を互いに隙間なく密接させた状態でコンパクトに収容することが可能となる。
また、本発明のカバーによれば、面倒な巻紙作業をせずとも、本発明のきのこ栽培方法により、籠状をしたコンテナ内に並べて収容した複数本の各きのこ栽培瓶に充填された培地から発芽させたえのき茸等のきのこを、きのこ栽培瓶の周囲に垂れ下がらせずに、上方に向けて真っすぐに体裁よく生育することが可能となる。
【発明を実施するための最良の形態】
【００２０】
次に、本発明の実施の形態を図面に従い説明する。
図１と図２は本発明のきのこ栽培方法の好適な実施の形態を示し、図１はそのきのこ栽培方法を示す平面図、図２はそのきのこ栽培方法を示す正面図である。以下に、このきのこ栽培方法を説明する。
【００２１】
このきのこ栽培方法においては、ほぼ方形籠状をした底浅のプラスチック製のコンテナ１０内に、同一形状をした同一大きさのポリプロピレン製の広口の複数本のきのこ栽培瓶２０を、その瓶上部をコンテナ１０上方に突出させた状態で並べて収容している。そして、そのコンテナ１０内に収容したきのこ栽培瓶２０に充填された培地（図示せず）から発芽させたきのこ３０を、きのこ栽培瓶の瓶口２２を通して、きのこ栽培瓶２０の上方に生育している。
以上の方法は、既述従来のきのこ栽培方法と同様であるが、このきのこ栽培方法では、その際に、図１に破線等で示したように、同一形状をした同一大きさの複数本のきのこ栽培瓶２０を、その隣り合う各きのこ栽培瓶の中心軸２８間の距離がきのこ栽培瓶の円筒状をした瓶胴部２４の外径と同一となって、その隣り合う各きのこ栽培瓶の中心軸２８間を結ぶ線が正三角形を隙間なく並べた形状をなすように、その前列の隣り合うきのこ栽培瓶の瓶胴部２４の間の隙間に後列のきのこ栽培瓶の瓶胴部２４の一部を嵌入させて、それらの前列と後列の隣り合う各きのこ栽培瓶の瓶胴部２４の一部を互いに密接させた状態で、コンテナ１０内に隙間少なく並べて収容している。
それと共に、図１に示したように、そのコンテナ１０内の最外側に並ぶ複数本の各きのこ栽培瓶２０のコンテナ１０外方を向く瓶口２２外側上端縁近くからその上方にかけての部分を起立壁５０によりそれぞれ囲んだ状態で、そのコンテナ１０内に収容したきのこ栽培瓶２０に充填された培地から発芽させたきのこ３０を、きのこ栽培瓶の瓶口２２を通して、きのこ栽培瓶２０の上方に生育している。
【００２２】
図１と図２に示したきのこ栽培方法は、以上のステップからなっていて、このきのこ栽培方法においては、図１に破線で示したように、そのコンテナ１０内の左右方向に加えて、その斜め前後方向に隣り合って並ぶ複数本の各きのこ栽培瓶の中心軸２８間の距離を、きのこ栽培瓶の瓶胴部２４の外径Ｌと同一に狭めることができる。そして、図２に示したように、そのコンテナ１０内の内側に収容したきのこ栽培瓶２０の上方に伸長するきのこ３０周囲のうちの、斜め前後方向及び左右方向の６方のきのこ３０周囲部分を、そのきのこ栽培瓶２０の斜め前後方向及び左右方向に隣り合って並ぶ同じコンテナ１０内の他のきのこ栽培瓶２０の上方にほぼ同じ生長速度で伸長するきのこ２０により上方に向けて確実に支持できる。そして、そのコンテナ１０内の内側に並ぶきのこ栽培瓶２０の上方に伸長するきのこ３０の全てを、上方に向けて真っ直ぐに体裁よく伸長させることができる。
【００２３】
また、このきのこ栽培方法においては、そのコンテナ１０内の最外側に並ぶきのこ栽培瓶２０の上方に伸長するきのこ３０周囲のうちの、他のきのこ栽培瓶２０の上方に伸長するきのこ３０が隣り合って存在しない、コンテナ１０外方を向くきのこ３０周囲部分を、そのコンテナ１０内の最外側に並ぶきのこ栽培瓶２０のコンテナ１０外方を向く瓶口２２外側上端縁近くからその上方にかけての部分を囲む起立壁５０により、上方に向けて確実に支持できる。それと共に、そのコンテナ１０内の最外側に並ぶきのこ栽培瓶２０の上方に伸長するきのこ３０周囲のうちの、コンテナ１０外方以外の、左右方向及び斜め後方や後方を向くきのこ３０周囲部分を、そのきのこ栽培瓶２０の左右方向及び斜め後方や後方に隣り合って並ぶ同じコンテナ１０内の他のきのこ栽培瓶２０の上方にほぼ同じ生長速度で伸長するきのこ３０により、きのこ栽培瓶２０の周囲に垂れ下がらぬように、上方に向けて確実に支持できる。そして、そのコンテナ１０内の最外側に並ぶきのこ栽培瓶２０の上方に伸長するきのこ３０の全てを、上方に向けて真っ直ぐに体裁よく伸長させることができる。
【００２４】
その結果、このきのこ栽培方法においては、そのコンテナ１０内に収容した複数本の各きのこ栽培瓶２０の上方に伸長する全てのきのこ３０周囲のほぼ全体を余すところなく上方に向けて確実に支持して、それらのきのこ３０の全てを、きのこ栽培瓶２０の上方に向けて真っ直ぐに体裁よく生育できる。
【００２５】
このきのこ栽培方法において、起立壁５０には、図１と図２に示したような、コンテナ１０内の最外側に並ぶ複数本のきのこ栽培瓶の瓶胴部２４とそれに対向するコンテナ１０内側壁との間の隙間１２に、その下端壁５２を押入、係止させて、その上端壁５４をコンテナ１０内側壁の上方に起立させた状態とするカバー５５を用いるのが良い。
また、カバー５５は、そのコンテナ１０内側壁の上方に起立させた状態とする上端壁５４内側面が、コンテナ１０内の最外側に並ぶ複数本の各きのこ栽培瓶２０のコンテナ１０外方を向く瓶口２２外側上端縁近くからその上方にかけての部分をそれぞれ囲む凹凸面５７を持つ構造とすると良い。
そして、図１に示したように、そのカバーの下端壁５２を、コンテナ１０内の最外側に並ぶ複数本のきのこ栽培瓶の瓶胴部２４とそれに対向するコンテナ１０内側壁との間の隙間１２に押入、係止させることができるようにすると良い。そして、そのカバーの上端壁５４を、コンテナ１０内側壁の上方に起立させた状態とすることができるようにすると良い。
それと共に、そのコンテナ１０内側壁の上方に起立させた状態としたカバーの凹凸面５７を持つ上端壁５４内側面により、コンテナ１０内の最外側に並ぶ複数本の各きのこ栽培瓶２０のコンテナ１０外方を向く瓶口２２外側上端縁近くからその上方にかけての部分をそれぞれ囲むことができるようにすると良い。そして、そのカバーの凹凸面５７を持つ上端壁５４内側面により、コンテナ１０内の最外側に並ぶきのこ栽培瓶２０の上方に伸長するきのこ３０周囲のうちの、他のきのこ栽培瓶２０の上方に伸長するきのこ３０が隣り合って存在しない、コンテナ１０外方を向くきのこ３０周囲部分を、きのこ栽培瓶２０の周囲に垂れ下がらぬように、上方に向けて確実に支持できるようにすると良い。
【００２６】
このきのこ栽培方法において、起立壁５０には、カバー５５に代えて、図４に示したような、コンテナ１０内の最外側に並ぶきのこ栽培瓶の瓶口２２周囲に、その下端を巻き付けて、その上端をきのこ栽培瓶の瓶口２２周囲の上方にラッパ筒状に起立させた状態とする巻紙６０を用いても良い。
そして、そのコンテナ１０内の最外側に並ぶきのこ栽培瓶の瓶口２２周囲に巻き付けた巻紙６０内側壁により、コンテナ１０内の最外側に並ぶきのこ栽培瓶２０の上方に伸長するきのこ３０周囲の全ての部分を、きのこ栽培瓶２０の周囲に垂れ下がらぬように、上方に向けて確実に支持できるようにしても良い。
それと共に、そのコンテナ１０内の最外側のきのこ栽培瓶２０の斜め後方や後方に隣り合って並ぶコンテナ１０内の内側のきのこ栽培瓶２０の上方にほぼ同じ生長速度で伸長するきのこ３０を、その最外側のきのこ栽培瓶の瓶口２２周囲に巻き付けた巻紙６０を介して、その最外側のきのこ栽培瓶２０の上方に伸長するきのこ３０により、上方に向けて確実に支持できるようにしても良い。
【００２７】
このきのこ栽培方法において、複数本のきのこ栽培瓶２０を並べて収容するコンテナ１０には、図１と図２に示したような、ほぼ方形籠状をしたコンテナを用いると良いが、場合によっては、６角籠などの多角籠状、円形籠状等をしたコンテナを用いることもでき、そうした場合にも、上記と同様な作用、効果を持つきのこ栽培方法を実施できる。
【００２８】
図１と図２は本発明のカバーの好適な実施の形態を示し、図１はそのカバーの使用状態を示す平面図、図２はそのカバーの使用状態を示す正面図である。以下に、このカバーを説明する。
【００２９】
このカバー５５は、図１と図２に示したようなほぼ方形籠状をしたコンテナ１０を用いる本発明のきのこ栽培方法において、起立壁５０として利用されるものである。
このカバー５５は、ほぼ方形籠状をしたコンテナ１０内４方の最外側に並ぶ複数本のきのこ栽培瓶の瓶胴部２４とそれに対向するコンテナ１０内側壁との間の隙間１２に、その下端壁５２をそれぞれ押入、係止させて、そのコンテナ１０内４方の内側壁の上方にそれぞれ起立させた上端壁５４により、ほぼ方形籠状をしたコンテナ１０内側壁の上方周囲をほぼ方形筒状に連続して囲むほぼＬ字帯板状をした４枚の分離カバー５５ａ、５５ｂ、５５ｃ、５５ｄからなっている。
４枚の各分離カバー５５ａ、５５ｂ、５５ｃ、５５ｄは、ほぼ方形籠状をしたコンテナ１０内４方の最外側に並ぶ複数本のきのこ栽培瓶の瓶胴部２４とそれに対向するコンテナ１０内側壁との間の隙間１２に、その下端壁５２をそれぞれ押入、係止させて、その上端壁５４をコンテナ１０内４方の内側壁の上方にそれぞれ起立させた状態とするための係止手段７０を持っている。係止手段７０は、４枚の各分離カバー５５ａ、５５ｂ、５５ｃ、５５ｄの下端壁５２の中途部外側に突設された短丈の突条７２から構成されている。そして、その突条７２をスペーサに用いて、コンテナ１０内４方の最外側に並ぶ複数本のきのこ栽培瓶の瓶胴部２４とそれに対向するコンテナ１０内側壁との間の隙間１２に、各分離カバー５５ａ、５５ｂ、５５ｃ、５５ｄの下端壁５２をそれぞれ容易に抜け出ぬように押入、係止させることができる構造をしている。
それと共に、そのコンテナ１０内４方の内側壁の上方にそれぞれ起立させた状態とする４枚の各分離カバー５５ａ、５５ｂ、５５ｃ、５５ｄの上端壁５４内側面が、コンテナ内４方の最外側に並ぶ複数本の各きのこ栽培瓶２０のコンテナ１０外方を向く瓶口２２外側上端縁近くからその上方にかけての部分をそれぞれ囲む凹凸面５７を持っている。
【００３０】
図１と図２に示したカバーは、以上のように構成されていて、このカバーにおいては、図１と図２に示したように、そのカバー５５を構成している４枚の各分離カバー５５ａ、５５ｂ、５５ｃ、５５ｄの下端壁５２を、係止手段７０により、ほぼ方形籠状をしたコンテナ内４方の最外側に並ぶ複数本のきのこ栽培瓶の瓶胴部２４とそれに対向するコンテナ１０内側壁との間の隙間１２にそれぞれ押入、係止させて、その４枚の各分離カバー５５ａ、５５ｂ、５５ｃ、５５ｄの上端壁５４を、コンテナ１０内４方の内側壁の上方にそれぞれ起立させた状態とすることができる。そして、そのコンテナ１０内４方の内側壁の上方にそれぞれ起立させたほぼＬ字帯板状をした４枚の各分離カバー５５ａ、５５ｂ、５５ｃ、５５ｄの上端壁５４により、ほぼ方形籠状をしたコンテナ１０内側壁の上方周囲をほぼ方形筒状に連続して囲むことができる。
それと共に、そのコンテナ１０内４方の内側壁の上方にそれぞれ起立させた状態とした４枚の各分離カバー５５ａ、５５ｂ、５５ｃ、５５ｄの凹凸面５７を持つ上端壁５４内側面により、コンテナ１０内４方の最外側に並ぶ複数本の各きのこ栽培瓶２０のコンテナ１０外方を向く瓶口２２外側上端縁近くからその上方にかけての部分をそれぞれ囲むことができる。そして、その４枚の各分離カバー５５ａ、５５ｂ、５５ｃ、５５ｄの凹凸面５７を持つ上端壁５４内側面により、コンテナ１０内４方の最外側に並ぶ複数本の各きのこ栽培瓶２０の上方に伸長するきのこ３０周囲のうちの、他のきのこ栽培瓶２０の上方に伸長するきのこ３０が隣り合って存在しない、コンテナ１０外方を向くきのこ３０周囲部分を、きのこ栽培瓶２０の周囲に垂れ下がらぬように、上方に向けて確実に支持できる。
【００３１】
図３は本発明のカバーの他の好適な実施の形態を示し、図３はそのカバーの使用状態を示す平面図である。以下に、このカバーを説明する。
【００３２】
このカバー５５も、図３に示したようなほぼ方形籠状をしたコンテナ１０を用いる本発明のきのこ栽培方法において、起立壁５０として利用されるものである。
このカバー５５は、ほぼ方形籠状をしたコンテナ１０内左右の最外側に並ぶ複数本のきのこ栽培瓶の瓶胴部２４とそれに対向するコンテナ１０内側壁との間の隙間１２に、その下端壁５２をそれぞれ押入、係止させて、そのコンテナ１０内左右の内側壁の上方にそれぞれ起立させた上端壁５４により、ほぼ方形籠状をしたコンテナ１０内側壁の上方周囲をほぼ方形筒状に連続して囲むほぼコの字帯板状をした２枚の分離カバー５５ｅ、５５ｆからなっている。
２枚の各分離カバー５５ｅ、５５ｆは、ほぼ方形籠状をしたコンテナ１０内左右の最外側に並ぶ複数本のきのこ栽培瓶の瓶胴部２４とそれに対向するコンテナ１０内側壁との間の隙間１２に、その下端壁５２をそれぞれ押入、係止させて、その上端壁５４をコンテナ１０内左右の内側壁の上方にそれぞれ起立させた状態とするための係止手段７０を持っている。係止手段７０は、２枚の各分離カバー５５ｅ、５５ｆの下端壁５２の中途部外側に突設された短丈の突条７２から構成されている。そして、その突条７２をスペーサに用いて、コンテナ１０内左右の最外側に並ぶ複数本のきのこ栽培瓶の瓶胴部２４とそれに対向するコンテナ１０内側壁との間の隙間１２に、各分離カバー５５ｅ、５５ｆの下端壁５２をそれぞれ容易に抜け出ぬように押入、係止させることができる構造をしている。
それと共に、そのコンテナ１０内左右の内側壁の上方にそれぞれ起立させた状態とする２枚の各分離カバー５５ｅ、５５ｆの上端壁５４内側面が、コンテナ内左右の最外側に並ぶ複数本の各きのこ栽培瓶２０のコンテナ１０外方を向く瓶口２２外側上端縁近くからその上方にかけての部分をそれぞれ囲む凹凸面５７を持っている。
【００３３】
図３に示したカバーは、以上のように構成されていて、このカバーにおいては、図３に示したように、そのカバー５５を構成している２枚の各分離カバー５５ｅ、５５ｆの下端壁５２を、係止手段７０により、ほぼ方形籠状をしたコンテナ１０内左右の最外側に並ぶ複数本のきのこ栽培瓶の瓶胴部２４とそれに対向するコンテナ１０内側壁との間の隙間１２にそれぞれ押入、係止させて、その２枚の各分離カバー５５ｅ、５５ｆの上端壁５４を、コンテナ１０内左右の内側壁の上方にそれぞれ起立させた状態とすることができる。そして、そのコンテナ１０内左右の内側壁の上方にそれぞれ起立させたほぼコの字帯板状をした２枚の各分離カバー５５ｅ、５５ｆの上端壁５４により、ほぼ方形籠状をしたコンテナ１０内側壁の上方周囲をほぼ方形筒状に連続して囲むことができる。
それと共に、そのコンテナ１０内左右の内側壁の上方にそれぞれ起立させた状態とした２枚の各分離カバー５５ｅ、５５ｆの凹凸面５７を持つ上端壁５４内側面により、コンテナ１０内左右の最外側に並ぶ複数本の各きのこ栽培瓶２０のコンテナ１０外方を向く瓶口２２外側上端縁近くからその上方にかけての部分をそれぞれ囲むことができる。そして、その２枚の各分離カバー５５ｅ、５５ｆの凹凸面５７を持つ上端壁５４内側面により、コンテナ１０内左右の最外側に並ぶ複数本の各きのこ栽培瓶２０の上方に伸長するきのこ３０周囲のうちの、他のきのこ栽培瓶２０の上方に伸長するきのこ３０が隣り合って存在しない、コンテナ１０外方を向くきのこ３０周囲部分を、きのこ栽培瓶２０の周囲に垂れ下がらぬように、上方に向けて確実に支持できる。
【産業上の利用可能性】
【００３４】
本発明のきのこ栽培方法及び本発明のカバーは、籠状をした底浅のコンテナ内に複数本のきのこ栽培瓶を並べて収容して、その複数本の各きのこ栽培瓶に充填された培地から発芽させたきのこを、きのこ栽培瓶の瓶口を通して、きのこ栽培瓶の上方に伸長させるきのこ栽培方法に有効利用可能である。
【図面の簡単な説明】
【００３５】
【図１】本発明のきのこ栽培方法を示す平面図である。
【図２】本発明のきのこ栽培方法を示す正面図である。
【図３】本発明のきのこ栽培方法を示す平面図である。
【図４】本発明のきのこ栽培方法を示す正面図である。
【図５】従来のきのこ栽培方法を示す正面図である。
【図６】従来のきのこ栽培方法を示す平面図である。
【図７】従来のきのこ栽培方法を示す正面図である。
【符号の説明】
【００３６】
１０  コンテナ
２０  きのこ栽培瓶
２２  きのこ栽培瓶の瓶口
２４  きのこ栽培瓶の瓶胴部
２８  きのこ栽培瓶の中心軸
５０  起立壁
５２  起立壁の下端壁
５４  起立壁の上端壁
５５  カバー
５５ａ、５５ｂ、５５ｃ、５５ｄ、５５ｅ、５５ｆ  分離カバー
５７  凹凸面
６０  巻紙
７０  係止手段
【図１】
2005261375.tif 000003
【図２】
2005261375.tif 000004
【図３】
2005261375.tif 000005
【図４】
2005261375.tif 000006
【図５】
2005261375.tif 000007
【図６】
2005261375.tif 000008
【図７】
2005261375.tif 000009